(57)【要約】【課題】簡易にバックライトの色を設定可能な「液晶表示装置、及び、液晶表示装置における光の色設定方法」を提供する。【解決手段】光源ユニット１３０−１において、発光ダイオード１４０−１乃至１４０−３の光量が所定の場合に、青色蛍光体１４２−１、赤色蛍光体１４２−２、緑色蛍光体１４２−３から照射される青色領域の光、赤色領域の光及び緑色領域の光によって所定の色領域が定まり、制御部１３６が、発光ダイオード１４０−１乃至１４０−３の光量を調整することによって、青色領域の光、赤色領域の光及び緑色領域の光を合成した光の色を、所定の色領域内で簡易に所望の色に設定することができる。【選択図】図２
2009229974.tif 000002
【特許請求の範囲】
【請求項１】
液晶ディスプレイのバックライトとなる光を照射する光照射部を有する液晶表示装置であって、
前記光照射部は、
第１の色領域の色の光を照射する第１乃至第３の光源と、
前記第１の光源からの光の波長を変換し、第２の色領域の色の光を照射する第１の蛍光体と、
前記第２の光源からの光の波長を変換し、第３の色領域の色の光を照射する第２の蛍光体と、
前記第３の光源からの光の波長を変換し、第４の色領域の色の光を照射する第３の蛍光体と、
前記第１乃至第３の光源の光量を調整することによって、前記第２乃至第４の色領域の色によって定まる所定の色領域内で、前記第２乃至第４の色領域の色の光を合成した光の色を設定する合成光色設定手段とを有する液晶表示装置。
【請求項２】
前記第１乃至第３の光源は、青色領域の色の光を照射し、
前記第１の蛍光体は、青色領域の色の光を照射し、
前記第２の蛍光体は、赤色領域の色の光を照射し、
前記第３の蛍光体は、緑色領域の色の光を照射する請求項１に記載の液晶表示装置。
【請求項３】
液晶ディスプレイのバックライトとなる光を照射する光照射部を有する液晶表示装置であって、
前記光照射部は、
第１の色領域の色の光を照射する第１乃至第３の光源と、
前記第２の光源からの光の波長を変換し、第２の色領域の色の光を照射する第１の蛍光体と、
前記第３の光源からの光の波長を変換し、第３の色領域の色の光を照射する第２の蛍光体と、
前記第１乃至第３の光源の光量を調整することによって、前記第１乃至第３の色領域の色によって定まる所定の色領域内で、前記第１乃至第３の色領域の色の光を合成した光の色を設定する合成光色設定手段とを有する液晶表示装置。
【請求項４】
前記第１乃至第３の光源は、青色領域の色の光を照射し、
前記第１の蛍光体は、赤色領域の色の光を照射し、
前記第２の蛍光体は、緑色領域の色の光を照射する請求項３に記載の液晶表示装置。
【請求項５】
前記合成光色設定手段によって設定された前記第１乃至第３の光源の光量に関する情報を保持する保持手段と、
前記保持手段に保持された前記第１乃至第３の光源の光量に関する情報に基づいて、前記第１乃至第３の光源の光量を設定する光量設定手段とを有する請求項１乃至４のいずれかに記載の液晶表示装置。
【請求項６】
前記光源は、発光ダイオードである請求項１乃至５のいずれかに記載の液晶表示装置。
【請求項７】
第１の色領域の色の光を照射する第１乃至第３の光源、前記第１の光源からの光の波長を変換し、第２の色領域の色の光を照射する第１の蛍光体、前記第２の光源からの光の波長を変換し、第３の色領域の色の光を照射する第２の蛍光体、及び、前記第３の光源からの光の波長を変換し、第４の色領域の色の光を照射する第３の蛍光体からなり、液晶ディスプレイのバックライトとなる光を照射する光照射部を有する液晶表示装置における光の色設定方法であって、
前記第１乃至第３の光源の光量を調整することによって、前記第２乃至第４の色領域の色によって定まる所定の色領域内で、前記第２乃至第４の色領域の色の光を合成した光の色を設定する合成光色設定ステップを有する色設定方法。
【請求項８】
第１の色領域の色の光を照射する第１乃至第３の光源、前記第２の光源からの光の波長を変換し、第２の色領域の色の光を照射する第１の蛍光体、及び、前記第３の光源からの光の波長を変換し、第３の色領域の色の光を照射する第２の蛍光体からなり、液晶ディスプレイのバックライトとなる光を照射する光照射部を有する液晶表示装置における光の色設定方法であって、
前記第１乃至第３の光源の光量を調整することによって、前記第１乃至第３の色領域の色によって定まる所定の色領域内で、前記第１乃至第３の色領域の色の光を合成した光の色を設定する合成光色設定ステップを有する色設定方法。
【請求項９】
前記合成光色設定ステップによって設定された前記第１乃至第３の光源の光量に関する情報を保持手段に保持させる保持ステップと、
前記保持手段に保持された前記第１乃至第３の光源の光量に関する情報に基づいて、前記第１乃至第３の光源の光量を設定する光量設定ステップとを有する請求項７又は８に記載の色設定方法。
【発明の詳細な説明】
【技術分野】
【０００１】
本発明は、画像表示を行う液晶表示装置、及び、当該液晶表示装置における光の色設定方法に関する。
【背景技術】
【０００２】
液晶表示装置は、液晶ディスプレイにバックライトを照射するとともに、当該液晶ディスプレイ内の液晶の配向を変化させ、バックライトを透過あるいは遮断することで画像表示を行う。このような液晶表示装置において、例えば特許文献１に記載された技術では、液晶部を透過した光の進行方向に蛍光体を備え、当該蛍光体における波長変換により、透過光を適切な色に変換している。
【０００３】
一方、透過光の波長を変換するのではなく、バックライトの波長を適切なものとする、すなわち、バックライトの色を適切なものとする手法が存在する。光源として発光ダイオードを用いる場合、バックライトを適切な色に設定する方式としては、擬似白色方式と、ＲＧＢ方式とがある。擬似白色方式は、図８に示す光源ユニット２３０のように、青色領域の色の光を照射する発光ダイオード２４０の光の照射方向に、黄色蛍光体２４２を配置し、当該黄色蛍光体２４２における波長変換により、発光ダイオード２４０が照射する青色領域の光を白色の光に変換して照射する。一方、ＲＧＢ方式は、青色領域の色の光を照射する発光ダイオード、赤色領域の光を照射する発光ダイオード、緑色領域の光を照射する発光ダイオードを備え、これらを合成した光の色が図９のＣＩＥ標準表色系の色度図に示す白色となるようにする。
【特許文献１】特開平１０−３１９８７７号公報
【発明の開示】
【発明が解決しようとする課題】
【０００４】
しかしながら、従来の擬似白色方式やＲＧＢ方式では、以下のような問題が生じる。すなわち、擬似白色方式では、個々の発光ダイオード２４０が照射する光の色や、黄色蛍光体２４２の厚さにばらつきが生じやすい。これらのばらつきを抑制しようとすると、発光ダイオード２４０や黄色蛍光体２４２の製造工程における歩留まり率が低下し、コスト増加の要因となる。また、使用する液晶ディスプレイや、光源ユニットから液晶ディスプレイまでの間に存在する導光板等の光学部材によって、図１０に示すように、光源ユニットが照射する光の色領域２５０は、液晶ディスプレイに使用される光学部材を透過することにより、光学部材の特性に応じて、色領域２６０の範囲内でシフトする。このような色のシフトは光学部材によって異なるため、色のシフトを考慮して統一的に発光ダイオードが照射する光の色を定めておくことができない。
【０００５】
一方、ＲＧＢ方式では、青色領域の色の光を照射する発光ダイオード、赤色領域の色の光を照射する発光ダイオード、緑色領域の色の光を照射する発光ダイオードは、それぞれ材料が異なるため、時間経過や温度上昇に伴う発光効率や色の変化の度合が異なり、これらを考慮した制御を行おうとすると、非常に複雑となる。
【０００６】
本発明の目的は、上述した問題を解決するものであり、簡易にバックライトの色を設定可能な液晶表示装置、及び、当該液晶表示装置における光の色設定方法を提供するものである。
【課題を解決するための手段】
【０００７】
本発明に係る、液晶ディスプレイのバックライトとなる光を照射する光照射部を有する液晶表示装置は、前記光照射部が、第１の色領域の色の光を照射する第１乃至第３の光源と、前記第１の光源からの光の波長を変換し、第２の色領域の色の光を照射する第１の蛍光体と、前記第２の光源からの光の波長を変換し、第３の色領域の色の光を照射する第２の蛍光体と、前記第３の光源からの光の波長を変換し、第４の色領域の色の光を照射する第３の蛍光体と、前記第１乃至第３の光源の光量を調整することによって、前記第２乃至第４の色領域の色によって定まる所定の色領域内で、前記第２乃至第４の色領域の色の光を合成した光の色を設定する合成光色設定手段とを有する。
【０００８】
この構成によれば、３つの光源の光量を調整することによって、これら３つの光源から蛍光体を介して照射される光の３つの色によって定まる所定の色領域内で、光源から蛍光体を介して照射される３つの色領域の色の光を合成した光の色を、所望の色に設定することができる。従って、個々の光源が照射する光の色や、蛍光体の厚さにばらつきが生じている場合、あるいは、光学部材が変更された場合にも、簡易にバックライトの色を設定することが可能である。また、３つの光源は、同一の色領域の色の光を照射するものであるため、時間経過や温度上昇に伴う発光効率や色の変化の度合が大きく異なることはなく、制御が容易である。
【０００９】
また、本発明に係る液晶表示装置は、前記第１乃至第３の光源が、青色領域の色の光を照射し、前記第１の蛍光体が、青色領域の色の光を照射し、前記第２の蛍光体が、赤色領域の色の光を照射し、前記第３の蛍光体が、緑色領域の色の光を照射する。
【００１０】
青色領域の色の光を、波長変換によって赤色領域の色の光、あるいは、緑色領域の色の光に変換することは容易である。従って、３つの光源がいずれも青色領域の色の光を照射し、蛍光体によって、当該青色領域の色の光を、赤色領域の色の光や緑色領域の色の光に変換することで、同一色の３つの光源を用いて制御を容易にしつつ、光源の色領域以外の色領域の光を容易に得ることができる。
【００１１】
また、本発明に係る、液晶ディスプレイのバックライトとなる光を照射する光照射部を有する液晶表示装置は、前記光照射部が、第１の色領域の色の光を照射する第１乃至第３の光源と、前記第２の光源からの光の波長を変換し、第２の色領域の色の光を照射する第１の蛍光体と、前記第３の光源からの光の波長を変換し、第３の色領域の色の光を照射する第２の蛍光体と、前記第１乃至第３の光源の光量を調整することによって、前記第１乃至第３の色領域の色によって定まる所定の色領域内で、前記第１乃至第３の色領域の色の光を合成した光の色を設定する合成光色設定手段とを有する。
【００１２】
この構成によれば、３つの光源の光量を調整することによって、１つの光源から照射される光の１つの色と、２つの蛍光体を介して照射される光の２つの色とによって定まる所定の色領域内で、光源から照射される１つの色領域の色の光と、光源から蛍光体を介して照射される２つの色領域の色の光を合成した光の色を、簡易に所望の色に設定することができる。また、３つの光源は、同一の色領域の色の光を照射するものであるため、時間経過や温度上昇に伴う光効率や色の変化の度合が大きく異なることはなく、制御が容易である。
【００１３】
また、本発明に係る液晶表示装置は、前記第１乃至第３の光源が、青色領域の色の光を照射し、前記第１の蛍光体が、赤色領域の色の光を照射し、前記第２の蛍光体が、緑色領域の色の光を照射する。
【００１４】
上述したように、青色領域の色の光を、波長変換によって赤色領域の色の光、あるいは、緑色領域の色の光に変換することは容易である。従って、３つの光源がいずれも青色領域の色の光を照射し、蛍光体によって、当該青色領域の色の光を、赤色領域の色の光や緑色領域の色の光に変換することで、同一の色領域の色の光を照射する３つの光源を用いて制御を容易にしつつ、光源の色領域以外の色領域の光を容易に得ることができる。
【００１５】
また、本発明に係る液晶表示装置は、前記合成光色設定手段によって設定された前記第１乃至第３の光源の光量に関する情報を保持する保持手段と、前記保持手段に保持された前記第１乃至第３の光源の光量に関する情報に基づいて、前記第１乃至第３の光源の光量を設定する光量設定手段とを有する。
【００１６】
この構成によれば、適切に設定された光源の光量に関する情報を保持しておき、その後は、光源の光量を、その保持した情報に基づく光量に設定することで、再度の光量設定が不要となり、作業をより容易にすることができる。また、３つの光源が同一の色領域の色の光を照射するため、時間経過に伴う劣化の度合は大きく異なることはなく、ある程度の期間は、過去に設定された光量をそのまま用いることが可能である。
【００１７】
また、本発明に係る液晶表示装置は、前記光源が、発光ダイオードである。
【００１８】
本発明に係る、第１の色領域の色の光を照射する第１乃至第３の光源、前記第１の光源からの光の波長を変換し、第２の色領域の色の光を照射する第１の蛍光体、前記第２の光源からの光の波長を変換し、第３の色領域の色の光を照射する第２の蛍光体、及び、前記第３の光源からの光の波長を変換し、第４の色領域の色の光を照射する第３の蛍光体からなり、液晶ディスプレイのバックライトとなる光を照射する光照射部を有する液晶表示装置における光の色設定方法は、前記第１乃至第３の光源の光量を調整することによって、前記第２乃至第４の色領域の色によって定まる所定の色領域内で、前記第２乃至第４の色領域の色の光を合成した光の色を設定する合成光色設定ステップを有する。
【００１９】
本発明に係る、第１の色領域の色の光を照射する第１乃至第３の光源、前記第２の光源からの光の波長を変換し、第２の色領域の色の光を照射する第１の蛍光体、及び、前記第３の光源からの光の波長を変換し、第３の色領域の色の光を照射する第２の蛍光体からなり、液晶ディスプレイのバックライトとなる光を照射する光照射部を有する液晶表示装置における光の色設定方法は、前記第１乃至第３の光源の光量を調整することによって、前記第１乃至第３の色領域の色によって定まる所定の色領域内で、前記第１乃至第３の色領域の色の光を合成した光の色を設定する合成光色設定ステップを有する。
【００２０】
また、本発明に係る液晶表示装置における光の色設定方法は、前記合成光色設定ステップによって設定された前記第１乃至第３の光源の光量に関する情報を保持手段に保持させる保持ステップと、前記保持手段に保持された前記第１乃至第３の光源の光量に関する情報に基づいて、前記第１乃至第３の光源の光量を設定する光量設定ステップとを有する。
【発明の効果】
【００２１】
本発明によれば、３つの光源の光量を調整することによって、これら３つの光源から照射される光の色や、蛍光体を介して照射される光の色によって定まる所定の色領域内で、合成した光の色を、簡易に所望の色に設定することができる。
【発明を実施するための最良の形態】
【００２２】
以下、本発明の実施の形態について、図面を参照して具体的に説明する。図１は、本発明の実施形態に係る液晶表示装置の分解斜視図である。
【００２３】
図１に示す液晶表示装置１００は、バックライトの色の設定方式としてＲＧＢ方式を用いている。この液晶表示装置１００は、前方から順に、前枠材１０２と、ガラス、液晶及び偏光フィルタからなる液晶ディスプレイ１０４と、輝度上昇フィルム１０６と、プリズムシート１０８と、拡散シート１１０と、導光板（Light Guide Plate：ＬＧＰ）１１２と、反射板１１４と、後枠材１１６と、プリント基板１２０とが配置されるとともに、導光板１１２の下部に対向して光照射部としての光源ユニット１３０−１、１３０−２が配置される。これらのうち、前枠材１０２、液晶ディスプレイ１０４、光増幅部１０６、プリズムシート１０８、拡散シート１１０、導光板１１２、反射板１１４、後枠材１１６及び光源ユニット１３０−１、１３０−２により液晶ディスプレイモジュールが構成される。
【００２４】
光源ユニット１３０−１、１３０−２から照射された光は、導光板１１２に入射され、当該導光板１１２の内部で反射を繰り返しつつ、拡散シート１１０へ照射され、更に、拡散シート１１０によって拡散され、プリズムシート１０８、輝度上昇フィルム１０６を介して、液晶ディスプレイ１０４にバックライトとして入射される。ここで、導光板１１２の内部で反射を繰り返した光は、一部が反射シート１１４へ照射されるが、当該反射シート１１４によって反射された後、導光板１１２を介して、更には、上述と同様に、拡散シート１１０、プリズムシート１０８及び輝度上昇フィルム１０６を介して、液晶ディスプレイ１０４にバックライトとして入射される。
【００２５】
図２は、第１の光源ユニット１３０−１の詳細な構成を示す図である。図３に示す第１の光源ユニット１３０−１は、複数の発光ダイオード（ＬＥＤ）ユニット１３２と、制御部１３６と、メモリ１３８と、操作部１３９とにより構成される。
【００２６】
複数の発光ダイオードユニット１３２は、縦横に配列されている。これら発光ダイオードユニット１３２のそれぞれは、３個の発光ダイオード１４０−１、１４０−２及び１４０−３を配置してなる。これら発光ダイオード１４０−１乃至１４０−３は、光の照射方向に導光板１１２の下部が位置するように配置され、青色領域の色の光を照射する。発光ダイオード１４０−１による光の照射方向には、青色蛍光体１４２−１が配置される。同様に、発光ダイオード１４０−２による光の照射方向には、赤色蛍光体１４２−２が配置され、発光ダイオード１４０−３による光の照射方向には、緑色蛍光体１４２−３が配置される。
【００２７】
青色蛍光体１４２−１は、発光ダイオード１４０−１からの青色領域の色の光を入射すると、当該光の波長を変換し、入射した光とは異なる青色領域の色の光を照射する。赤色蛍光体１４２−２は、発光ダイオード１４０−２からの青色領域の色の光を入射すると、当該光の波長を変換し、赤色領域の色の光を照射する。緑色蛍光体１４２−３は、発光ダイオード１４０−３からの青色領域の色の光を入射すると、当該光の波長を変換し、緑色領域の色の光を照射する。
【００２８】
制御部１３６は、発光ダイオード１４０−１乃至１４０−３の光量を調整することによって、蛍光体１４２−１が照射する青色領域の色の光、蛍光体１４２−２が照射する赤色領域の色の光、及び、蛍光体１４２−３が照射する緑色領域の色の光によって定まる所定の色領域内で、これら青色領域の色の光、赤色領域の色の光及び緑色領域の色の光を合成した光の色を設定する。
【００２９】
以下、制御部１３６による、発光ダイオード１４０−１乃至１４０−３の光量調整について、フローチャートを参照しつつ説明する。図３及び図４は、制御部１３６による、発光ダイオード１４０−１乃至１４０−３の光量調整のフローチャートである。
【００３０】
制御部１３６は、液晶表示装置１００の電源がオンとなると、発光ダイオード１４０−１乃至１４０−３に対して、所定の電流（例えば、仕様上供給可能な最大電流値の２分の１）を供給することにより、これら発光ダイオード１４０−１乃至１４０−３を起動させる（Ｓ１０１）。これにより、青色蛍光体１４２−１から照射される光の色は図５の青色領域のＢ、赤色蛍光体１４２−２から照射される光の色は図５の赤色領域のＲ、緑色蛍光体１４２−３から照射される光の色は図５の緑色領域のＧとなる。
【００３１】
次に、制御部１３６は、利用者の操作部１３９の操作による発光ダイオード１４０−1乃至１４０−３の光量調整の指示を受けると、当該指示に応じて、発光ダイオード１４０−１乃至１４０−３に供給する電流を制御して、これら発光ダイオード１４０−１乃至１４０−３の光量を調整する。発光ダイオード１４０−１乃至１４０−３の光量が調整されることにより、青色蛍光体１４２−１から照射される青色領域の色の光、赤色蛍光体１４２−２から照射される赤色領域の色の光、及び、緑色蛍光体１４２−３から照射される緑色領域の色の光を合成した光（合成光）の色は、図５に示すＢ、Ｒ、Ｇを頂点とする、白色を含む色領域である三角形領域１５０の範囲内で設定される（Ｓ１０２）。これにより、合成光の色を、三角形領域１５０の範囲内で利用者が所望する色に設定することが可能となる。
【００３２】
次に、制御部１３６は、利用者が操作部１３９を操作して、合成光の色を確定させる指示を行ったか否かを判定する（Ｓ１０３）。ここで、利用者は、液晶ディスプレイ１０４の表示色を視認することで、当該液晶ディスプレイ１０４にバックライトとして入射される光が所望の色であるか否かを判定し、所望の色である場合には、操作部１３９を操作して、合成光の色を確定させる指示を行う。
【００３３】
合成光の色を確定させる操作が行われていない場合には、再び、Ｓ１０２における利用者の操作部１３９の操作による発光ダイオード１４０−１乃至１４０−３の光量調整及び合成光の色の設定以降の動作が繰り返される。
【００３４】
一方、合成光の色を確定させる操作が行われた場合には、制御部１３６は、Ｓ１０２における調整後の発光ダイオード１４０−１乃至１４０−３の光量に対応する、これら発光ダイオード１４０−１乃至１４０−３に対する供給電流の情報を、メモリ１３８へ格納させる（Ｓ１０４）。
【００３５】
その後、液晶表示装置１００の電源がオフとなって発光ダイオード１４０−１乃至１４０−３が停止した場合に、図４の動作に移行する。すなわち、発光ダイオード１４０−１乃至１４０−３が停止した後、再び、液晶表示装置１００の電源がオンとなると、制御部１３６は、図３のＳ１０４において、メモリ１３８に格納した電流情報を読み出す（Ｓ２０１）。
【００３６】
次に、制御部１３６は、読み出した電流情報が示す電流を発光ダイオード１４０−１乃至１４０−３に供給する。これにより、発光ダイオード１４０−１乃至１４０−３の光量が当該電流に応じたものに調整され、青色蛍光体１４２−１から照射される青色領域の色の光、赤色蛍光体１４２−２から照射される赤色領域の色の光、及び、緑色蛍光体１４２−３から照射される緑色領域の色の光を合成した光の色が、図３のＳ１０３にて利用者が確定させた色に設定される（Ｓ２０２）。
【００３７】
図６は、第２の光源ユニット１３０−２の詳細な構成を示す図である。図６に示す第２の光源ユニット１３０−２は、図２に示す第１の光源ユニット１３０−１と比較すると、青色蛍光体１４２−１が存在しない構成である。
【００３８】
制御部１３６は、発光ダイオード１４０−１乃至１４０−３の光量を調整することによって、発光ダイオード１４０−１が照射する青色領域の色の光、蛍光体１４２−２が照射する赤色領域の色の光、及び、蛍光体１４２−３が照射する緑色領域の色の光によって定まる所定の色領域内で、これら青色領域の色の光、赤色領域の色の光及び緑色領域の色の光を合成した光の色を設定する。
【００３９】
制御部１３６による、発光ダイオード１４０−１乃至１４０−３の光量調整の動作は、図３及び図４に示すフローチャートで示す動作とほぼ同様である。
【００４０】
すなわち、制御部１３６は、液晶表示装置１００の電源がオンとなると、発光ダイオード１４０−１乃至１４０−３に対して、所定の電流（例えば、仕様上供給可能な最大電流値の２分の１）を供給することにより、これら発光ダイオード１４０−１乃至１４０−３を起動させる（Ｓ１０１）。これにより、発光ダイオード１４０−１から照射される光の色は図７の青色領域のＢ、赤色蛍光体１４２−２から照射される光の色は図７の赤色領域のＲ、緑色蛍光体１４２−３から照射される光の色は図７の緑色領域のＧとなる。
【００４１】
次に、制御部１３６は、利用者の操作部１３９の操作による発光ダイオード１４０−1乃至１４０−３の光量調整の指示に応じて、発光ダイオード１４０−１乃至１４０−３に供給する電流を制御し、これら発光ダイオード１４０−１乃至１４０−３の光量を調整する。発光ダイオード１４０−１乃至１４０−３の光量が調整されることにより、発光ダイオード１４０−１から照射される青色領域の色の光、赤色蛍光体１４２−２から照射される赤色領域の色の光、及び、緑色蛍光体１４２−３から照射される緑色領域の色の光を合成した光（合成光）の色は、図７に示すＢ、Ｒ、Ｇを頂点とする、白色を含む色領域である三角形領域１５１の範囲内で設定される（Ｓ１０２）。これにより、合成光の色を、三角形領域１５１の範囲内で利用者が所望する色に設定することが可能となる。
【００４２】
次に、制御部１３６は、利用者が操作部１３９を操作して、合成光の色を確定させる指示を行ったか否かを判定する（Ｓ１０３）。合成光の色を確定させる操作が行われていない場合には、再び、Ｓ１０２における利用者の操作部１３９の操作による発光ダイオード１４０−１乃至１４０−３の光量調整及び合成光の色の設定以降の動作が繰り返される。
【００４３】
一方、合成光の色を確定させる操作が行われた場合には、制御部１３６は、Ｓ１０２における調整後の発光ダイオード１４０−１乃至１４０−３の光量に対応する、これら発光ダイオード１４０−１乃至１４０−３に対する供給電流の情報を、メモリ１３８へ格納させる（Ｓ１０４）。
【００４４】
その後、液晶表示装置１００の電源がオフとなって発光ダイオード１４０−１乃至１４０−３が停止した場合には、図４の動作に移行し、再び、液晶表示装置１００の電源がオンとなると、制御部１３６は、図３のＳ１０４において、メモリ１３８に格納した電流情報を読み出す（Ｓ２０１）。
【００４５】
次に、制御部１３６は、読み出した電流情報が示す電流を発光ダイオード１４０−１乃至１４０−３に供給する。これにより、発光ダイオード１４０−１乃至１４０−３の光量が当該電流に応じたものに調整され、発光ダイオード１４０−１から照射される青色領域の色の光、赤色蛍光体１４２−２から照射される赤色領域の色の光、及び、緑色蛍光体１４２−３から照射される緑色領域の色の光を合成した光の色が、図３のＳ１０３にて利用者が確定させた色に設定される（Ｓ２０２）。
【００４６】
このように、液晶表示装置１００では、光照射部１３０−１において、発光ダイオード１４０−１乃至１４０−３の光量が所定の場合に、青色蛍光体１４２−１、赤色蛍光体１４２−２、緑色蛍光体１４２−３から照射される青色領域の光、赤色領域の光及び緑色領域の光によって図５に示す色領域である三角形領域１５０が定まり、発光ダイオード１４０−１乃至１４０−３の光量を調整することによって、青色領域の光、赤色領域の光及び緑色領域の光を合成した光の色を、三角形領域１５０内で簡易に所望の色に設定することができる。
【００４７】
また、光照射部１３０−２において、発光ダイオード１４０−１乃至１４０−３の光量が所定の場合に、発光ダイオード１４０−１、赤色蛍光体１４２−２、緑色蛍光体１４２−３から照射される青色領域の光、赤色領域の光及び緑色領域の光によって図７に示す色領域である三角形領域１５１が定まり、発光ダイオード１４０−１乃至１４０−３の光量を調整することによって、青色領域の光、赤色領域の光及び緑色領域の光を合成した光の色を、三角形領域１５１内で簡易に所望の色に設定することができる。
【００４８】
また、発光ダイオード１４０−１乃至１４０−３は同一色である青色領域の光を照射するものであるため、時間経過や温度上昇に伴う発光効率や色の変化の度合が大きく異なることはなく、制御が容易である。
【００４９】
また、青色領域の色の光を、波長変換によって赤色領域の色の光、あるいは、緑色領域の色の光に変換することが容易であることに鑑み、発光ダイオード１４０−１乃至１４０−３がいずれも青色領域の光を照射し、光照射部１３０−１では、青色蛍光体１４２−１、赤色蛍光体１４２−２、緑色蛍光体１４２−３によって色を変換し、光照射部１３０−２では、赤色蛍光体１４２−２、緑色蛍光体１４２−３によって色を変換することで、青色領域の色の光を照射する３つの発光ダイオード１４０−１乃至１４０−３を用いて制御を容易にしつつ、青色領域以外の色領域の光を容易に得ることができる。
【００５０】
また、確定した合成光の色を実現させるための発光ダイオード１４０−１乃至１４０−３の光量に対応する電流の情報をメモリ１３８に保持し、その後は、発光ダイオード１４０−１乃至１４０−３へ供給する電流を、その保持した電流に設定して光量設定を行うことで、再度の光量設定が不要となり、作業をより容易にすることができる。また、発光ダイオード１４０−１乃至１４０−３がいずれも青色領域の光を照射するため、時間経過に伴う劣化の度合は大きく異なることはなく、ある程度の期間は、過去にメモリ１３８に保持した電流に応じた光量設定を行うことで、合成光の色を所望の色に設定することが可能である。
【００５１】
なお、上述した実施形態では、発光ダイオード１４０−１乃至１４０−３がいずれも青色領域の色の光を照射するようにしたが、これらが照射する光の色は同一の色であればよく、その色に応じて蛍光体を変えればよい。例えば、発光ダイオード１４０−１乃至１４０−３がいずれも赤色領域の色の光を照射する場合には、発光ダイオード１４０−２の光の照射方向に青色蛍光体を配置し、発光ダイオード１４０−３の照射方向に緑色蛍光体を配置する。更には、発光ダイオード１４０−１の光の照射方向に赤色蛍光体を配置してもよい。
【００５２】
また、上述した実施形態では、バックライトの色の設定方式としてＲＧＢ方式を用いているが、他の方式を用いる場合にも、同様に、発光ダイオードが所定の光量の場合に定まる色領域の範囲内で、発光ダイオードの光量調整により、合成光の色を所望の色に設定することが可能である。また、光源は発光ダイオードに限定されるものではなく、他の光源を用いた場合にも、同様に本発明を適用することができる。
【産業上の利用可能性】
【００５３】
以上、説明したように、本発明に係る液晶表示装置、及び、液晶表示装置における光の色設定方法は、簡易にバックライトの色を設定可能であり、液晶表示装置等として有用である。
【図面の簡単な説明】
【００５４】
【図１】本発明の実施形態に係る液晶表示装置の分解斜視図である。
【図２】第１の光源ユニットの詳細な構成を示す図である。
【図３】制御部による、発光ダイオードの光量調整の動作を示す第１のフローチャートである。
【図４】制御部による、発光ダイオードの光量調整の動作を示す第２のフローチャートである。
【図５】第１の光源ユニットを用いた場合の色度図である。
【図６】第２の光源ユニットの詳細な構成を示す図である。
【図７】第２の光源ユニットを用いた場合の色度図である。
【図８】従来の光源ユニットの構成を示す図である。
【図９】色度図の一例を示す図である。
【図１０】液晶に使用される光学部材によるシフトを説明する図である。
【符号の説明】
【００５５】
１００  液晶表示装置
１０２  前枠材
１０４  液晶ディスプレイ
１０６  輝度上昇フィルム
１０８  プリズムシート
１１０  拡散シート
１１２  導光板
１１４  反射板
１２０  プリント基板
１３０−１、１３０−２  光源ユニット
１３２  発光ダイオードユニット
１３６  制御部
１３８  メモリ
１３９  操作部
１４０−１、１４０−２、１４０−３  発光ダイオード
１４２−１  青色蛍光体
１４２−２  赤色蛍光体
１４２−３  緑色蛍光体
【図１】
2009229974.tif 000003
【図２】
2009229974.tif 000004
【図３】
2009229974.tif 000005
【図４】
2009229974.tif 000006
【図５】
2009229974.tif 000007
【図６】
2009229974.tif 000008
【図７】
2009229974.tif 000009
【図８】
2009229974.tif 000010
【図９】
2009229974.tif 000011
【図１０】
2009229974.tif 000012